(57)【要約】【課題】さらなる検討及び工夫により、構造簡単、廉価で小型に構成できるとともに、頁の捲り操作もし易いように改善された頁捲り支援具を提供する。【解決手段】頁捲り支援具において、手指で掴むことが可能な把持部３、及び把持部３の先端部に装備される粘着部４を備える捲り体１と、捲り体１を取外し可能に支持する支持部５、及びシート状体Ｓに係止可能な係止部６を備えるクリップ体２とを有して成ることを特徴とする。【選択図】図６
2011068107.tif 000002
【特許請求の範囲】
【請求項１】
手指で掴むことが可能な把持部、及び前記把持部の先端部に装備される粘着部を備える捲り体と、前記捲り体を取外し可能に支持する支持部、及びシート状体に係止可能な係止部を備えるクリップ体とを有して成る頁捲り支援具。
【請求項２】
前記把持部と前記粘着部とが相対回動可能に連結されている請求項１に記載の頁捲り支援具。
【請求項３】
前記係止部が、前記支持部を一端に備える扁平主材と、前記扁平主材との間にシート状体の挟み込みが可能な状態に前記扁平主材から片持ち状に突設される扁平助材と、を有して構成されている請求項１又は２に記載の頁捲り支援具。
【請求項４】
前記粘着部が、粘着シートとこれを展着装備する基材部とで成り、前記基材部を押し込んでの強制嵌合によって支持する嵌合穴を有して前記支持部が構成されている請求項１〜３の何れか一項に記載の頁捲り支援具。
【発明の詳細な説明】
【技術分野】
【０００１】
本発明は、雑誌や参考書等の書籍、新聞、パンフレット等に好適な頁捲り支援具に関するものである。
【背景技術】
【０００２】
本等の書物の頁は手指を使って捲るのが一般的であるが、ときとして捲り難いこともある。手指の先で捲る操作により、頁の端が部分的に捲り上がるめくり癖が付いてしまうとか、破れてしまう不都合を招きやすい等である。頁を折り曲げてしまわないように気を使いながら慎重に捲るといった具合であり、特に新しい書籍ほど捲り難い。
【０００３】
そこで、従来では、特許文献１において開示されるように、棒の先端に滑り止めを備えて成るめくり棒を用いることが知られている。めくり棒を用いれば、滑り止めを持つ先端部を紙面に押し当てて頁を開く方向に押し、直下の頁との間に隙間ができたときに他端を隙間に深く差込み、頁を開く方向に横に引っ張って頁をめくる、と記載されている。
【０００４】
しかしながら、めくり棒は手指で頁を押し広げる代わりに過ぎないような使い方であるから、前述のめくり癖は解消できないばかりでなく、めくり棒の他端を頁と頁との間に差込む際に誤って紙面端を押し込んでしまい、曲げ癖まで付けてしまうおそれがある。また、めくり棒自体を紛失し易い面もある。
【０００５】
そこで、特許文献２において開示されるように、書籍を載せ付ける台（本体２）と見開き左右の紙面それぞれを押え可能なアーム（開頁維持部材４，５）とめくり部材（６）とを有して成るシートめくり装置なるものも知られている。このシートめくり装置を用いれば、台（本体２）に書籍を開いて置き、めくり部材（６）を操作して頁を捲り、捲られた頁はアーム（４，５）で押えて維持することができて便利そうである。
【０００６】
しかしながら、上記シートめくり装置は、駆動原として複数のモータ、並びにそれらの電源設備が必要であって構造が複雑かつ大柄なものであり、持ち運びは実質的に不可であるばかりでなくコストも高く付くことが明白であるから、到底、気軽に使えるものではなく、現実的でない。このように、従来のものはいずれにしても改善の余地が残されているものであった。
【先行技術文献】
【特許文献】
【０００７】
【特許文献１】特開２００９−０６７０３５号公報
【特許文献２】特開平８−０１１４６２号公報
【発明の概要】
【発明が解決しようとする課題】
【０００８】
本発明の目的は、さらなる検討及び工夫により、構造簡単、廉価で小型に構成できるとともに、頁の捲り操作もし易いように改善された頁捲り支援具を提供する点にある。
【課題を解決するための手段】
【０００９】
請求項１に係る発明は、頁捲り支援具において、手指で掴むことが可能な把持部３、及び前記把持部３の先端部に装備される粘着部４を備える捲り体１と、前記捲り体１を取外し可能に支持する支持部５、及びシート状体Ｓに係止可能な係止部６を備えるクリップ体２とを有して成ることを特徴とするものである。
【００１０】
請求項２に係る発明は、請求項１に記載の頁捲り支援具において、前記把持部３と前記粘着部４とが相対回動可能に連結されていることを特徴とするものである。
【００１１】
請求項３に係る発明は、請求項１又は２に記載の頁捲り支援具において、前記係止部６が、前記支持部５を一端に備える扁平主材６Ａと、前記扁平主材６Ａとの間にシート状体Ｓの挟み込みが可能な状態に前記扁平主材６Ａから片持ち状に突設される扁平助材６Ｂと、を有して構成されていることを特徴とするものである。
【００１２】
請求項４に係る発明は、請求項１〜３の何れか一項に記載の頁捲り支援具において、前記粘着部４が、粘着シート８とこれを展着装備する基材部７とで成り、前記基材部７を押し込んでの強制嵌合によって支持する嵌合穴９を有して前記支持部５が構成されていることを特徴とするものである。
【発明の効果】
【００１３】
請求項１の発明によれば、捲り体とクリップ体とが取外し可能に支持されているので、必要に応じて捲り体をクリップ体から取り外して手指で摘んで頁の捲り操作が簡単で軽快に行える。その捲り操作は、把持部先端の粘着部によって頁紙を粘着させて引き上げて捲るものであるから、頁紙にめくり癖や曲げ癖を付けてしまうおそれもない。そして、クリップ体はシート状体に係止可能であるから、頁紙に係止させて読み始めや読み終わりの印として使える便利さがあるとともに、これ単独で、又は捲り体を支持一体化させた状態の頁捲り支援具として書籍等のシート状体に係止させることができる。その結果、構造簡単、廉価で小型に構成できるとともに、頁の捲り操作もし易いように改善された頁捲り支援具を提供することができる。
【００１４】
請求項２の発明によれば、把持部と粘着部とが回動可能に連結されているので、捲り体をクリップ体に合体させたときに回動調節することで、頁捲り支援具全体として嵩張らない状態（収納姿勢）にすることが可能である。また、粘着シートを頁紙に粘着させての改頁操作の際に、粘着部と把持部とが相対回動することにより、手指で持つ把持部を移動させ易くなるという利点もある。
【００１５】
請求項３の発明によれば、扁平主材と扁平主材との間にシート状体の挟み込みが可能であるから、クリップ体を単独で、又捲り体を伴って書籍の頁紙等に挟んで係止させることができて便利であり、紛失防止にもなる。また、読み始めや読み終わり頁の紙にクリップ体を係止させて印（又はしおり）とする便利な使い方も可能となる。
【００１６】
請求項４の発明によれば、捲り体をクリップ体に結合させれば、粘着シートが嵌合穴に収容されて他物が及ばない又は及び難い状態になり、ゴミや埃が付いて粘着性能が劣化する、という不都合が生じない又は生じ難くなる利点を持つ頁捲り支援具を提供することができる。
【図面の簡単な説明】
【００１７】
【図１】実施例１の頁めくり支援具を示し、（ａ）は正面図、（ｂ）は左側面図
【図２】実施例１の頁めくり支援具を示し、（ａ）は背面図、（ｂ）は右側面図
【図３】実施例１の頁めくり支援具を示し、（ａ）は平面図、（ｂ）は図１（ａ）におけるＡ−Ａ線断面図
【図４】めくり体を回動させて取出し姿勢にした状態での平面図
【図５】（ａ）は図４の左側面図、（ｂ）は図４におけるｂ−ｂ線断面図
【図６】めくり体を斜め姿勢にした状態での頁めくり支援具を示す見下ろし斜視図
【図７】クリップ体単品での正面図
【図８】めくり体単品での平面図
【図９】頁めくり支援具の使用状態例を示す斜視図
【発明を実施するための最良の形態】
【００１８】
以下に、本発明による頁捲り支援具の実施の形態を、図面を参照しながら説明する。
【００１９】
〔実施例１〕
実施例１による頁捲り支援具Ｇは、図１〜図６に示すように、手指で掴むことが可能な把持部３、及び把持部３の先端部に装備される粘着部４を備える捲り体１と、捲り体１を取外し可能に支持する支持部５、及びシート状体Ｓに係止可能な係止部６を備えるクリップ体２とを有して成り、全体として合成樹脂製のものである。使い方の一例を示す図９から明らかなように、非常に小型軽量なものであり、持ち運にも便利である。
【００２０】
捲り体１は、図１〜図６，及び図８に示すように、平面視で先端が二股の略長尺三角形を呈する合成樹脂製の把持部３と、これの二股アーム３ａ，３ａに軸心Ｐで枢支連結される平面視で円形の粘着部４とを有して構成されている。つまり、把持部３と粘着部４とが左右向きの軸心Ｐ回りの所定角度範囲内において相対回動可能に連結されている。
【００２１】
図３（ｂ），図４，図５（ｂ）に示すように、把持部３は、二股アーム３ａ，３ａを有する長尺板部３Ａと、これの先端部を除く大部分から一体的に突出形成される補強リブ部３Ｂとを有している。粘着部４は、粘着シート８とこれを展着装備する基材部７とで成っている。基材部７は、有蓋無底で一対の二股アーム３ａ，３ａ配置用の凹入部７ａ，７ａを有する合成樹脂製で略筒状のものに形成されている。粘着シート８は、基材部７の底面となる状態で基材部７に一体的に装備されている。基材部７における円形の粘着シート８を内嵌装備する部分は、凹入部７ａが及ばない（凹入部７ａから下方に離れた）円形の嵌合部７ｋに形成されている。
【００２２】
二股アーム３ａ，３ａと基材部７との枢支連結構造は、例えば、各二股アーム３ａから内向きに突出される軸ピン部（図示省略）と、その軸ピン部を内嵌するように基材部７に一対対向形成される軸穴部又は軸孔部（図示省略）との軸心Ｐでの嵌合により成される。その軸心Ｐ回りの枢支連結により、図３（ａ）等に示されるように、クリップ体２と略平行な姿勢となる収納姿勢と、図４等に示されるように、クリップ体２に対して８０〜１２０開いた取出し姿勢とに亘って回動移動可能に構成されている。
【００２３】
クリップ体２は、図１〜図７に示すように、平面視で略三角形を呈する係止部６とその先端に連なる有底筒状の支持部５とを備える合成樹脂製のものである。係止部６は、略三角形の中抜き孔６ａを有する平板状の外枠部（扁平主材の一例）６Ａと、その外枠部６Ａの先端側から突出するとともに、平面視で中抜き孔６ａより若干小さい三角形の外郭形状を有する片持ち状の係止片（扁平助材の一例）６Ｂとから成っている。つまり、係止部６が、支持部５を一端に備える外枠部６Ａと、外枠部６Ａとの間にシート状体Ｓの挟み込みが可能な状態に外枠部６Ａから片持ち状に突設される係止片６Ｂと、を有して構成されている。
【００２４】
有底筒状の支持部５は、基材部７の嵌合部７ｋを圧入的に密着内嵌可能とするための円形で浅い深さを有する嵌合穴９を有している。つまり、基材部７を押し込んでの強制嵌合によって支持する嵌合穴９を有して支持部５が構成されている。支持部５は、外枠部６Ａの先端側に一体形成されている。
【００２５】
つまり、支持部５と基材部７とにより、支持部５を基材部７に取外し可能に嵌合支持する構造、即ち、係脱機構１０が構成されている。この係脱機構１０により、嵌合部７ｋを嵌合穴９に挿入して、捲り体１とクリップ体２とが一体的に嵌合連結されて一体となる結合状態（図３，６等に示される状態）と、嵌合部７ｋを嵌合穴９から抜き出して捲り体１とクリップ体２とが互いに別体となる分離状態（図９に示す状態）とが選択可能に構成されている。係脱機構１０によって結合状態とすれば、粘着シート８が嵌合穴９に収容されて他物が及ばない又は及び難い状態になり、ゴミや埃が付いて粘着性能が劣化する、という不都合が生じない又は生じ難くなる利点がある。
【００２６】
次に、頁捲り支援具Ｇの使い方例について説明する。まず、未使用時には、図１，図３等に示されるように、基材部７を支持部５に強制内嵌させて捲り体１とクリップ体２とが一体となった結合状態としておく。そして、使用時には、図９に示すように、基材部７を支持部５から抜き取って捲り体１とクリップ体２とを分離状態とし、外枠部６Ａと係止片６Ｂとの間に書籍Ｈの所定の頁紙ｓｈを差し入れてクリップ体２を係止させてあり、捲り体１の粘着シート８を捲り対象頁紙ｍｈ（シート状体Ｓの一例）に押付けて粘着させた状態で把持部３を引っ張ることで、捲り体１を用いての捲り操作を行う。
【００２７】
捲り体１による捲り操作は、粘着シート８による粘着で捲り対象頁紙ｍｈを吸着して持上げるものであるから、手指で頁端を無理やり捲って捲り癖や曲げ癖を生じさせることなく、平な紙ままのきれいな状態で、かつ、簡単で容易に改頁操作を行うことができる。捲り体１の把持部３は適度に小さくて軽いので、手指で握って持ち易く、従って道具を使っての改頁操作が軽快に行える。そして、把持部３と粘着部４とが軸心Ｐでもって回動可能に構成されているので、クリップ体２に合体させたときに嵩張らない収納姿勢にできるとともに、粘着シート８を頁紙に粘着させての改頁操作の際に、粘着部４と把持部３とが相対回動することにより、手指で持つ把持部３を移動させ易くなるという利点がある。
【００２８】
クリップ体２は、所定の頁紙ｓｈに挟んで係止させることができるので、例えば、読み始め頁にクリップ体２を係止させておけば、読み終わり時には、その読み終わり頁とクリップ体２が係止されている所定の頁紙ｓｈとの関係から何ページ読んだかが分かるとか、その読み終わり頁にクリップ体２を付け直して次の読み始めが分かるように備える、といった使い方が可能である。また、使い終わった捲り体１は、所定の頁紙ｓｈに係止されている（又は係止されていない）クリップ体２に嵌合支持させて頁捲り支援具Ｇとすることにより、紛失防止にもなる。
【００２９】
以上のように、本発明による頁捲り支援具Ｇにおいては、捲り体１とクリップ体２とが着脱可能に一体化（取外し可能に支持）されているので、必要に応じて捲り体１をクリップ体２から取り外して手指で摘んで頁の捲り操作が簡単で軽快に行える。その捲り操作は、把持部先端の粘着部によって頁紙を粘着させて引き上げて捲るものであるから、頁紙にめくり癖や曲げ癖を付けてしまうおそれもない。そして、クリップ体はシート状体に係止可能であるから、頁紙に係止させて読み始めや読み終わりの印として使える便利さがあるとともに、これ単独で、又は捲り体１を支持一体化させた状態の頁捲り支援具Ｇとして書籍等のシート状体に係止させることができる。
【符号の説明】
【００３０】
１          捲り体
２          クリップ体
３          把持部
４          粘着部
５          支持部
６          係止部
６Ａ        扁平主材
６Ｂ        扁平助材
７          基材部
８          粘着シート
９          嵌合穴
Ｓ          シート状体
【図１】
2011068107.tif 000003
【図２】
2011068107.tif 000004
【図３】
2011068107.tif 000005
【図４】
2011068107.tif 000006
【図５】
2011068107.tif 000007
【図６】
2011068107.tif 000008
【図７】
2011068107.tif 000009
【図８】
2011068107.tif 000010
【図９】
2011068107.tif 000011